(57)【要約】  骨代替インプラントが提供される。本発明の実施形態による骨代替インプラントは、生体活性結晶化ガラス素材からなる胴体を含み、隣接した骨の表面と接触して癒合するための骨癒合部材と；隣接した骨の間に固定するためのインプラント胴体と；骨癒合部材とインプラント胴体との間に配置されて、骨癒合部材とインプラント胴体を離隔させる緩衝部材と；を含む。
2020513198.tif 000002
【特許請求の範囲】
【請求項１】
生体活性結晶化ガラス素材からなる胴体を含み、隣接した骨の表面と接触して癒合するための骨癒合部材と；
前記隣接した骨の間に固定するためのインプラント胴体と；
前記骨癒合部材と前記インプラント胴体との間に配置されて、前記骨癒合部材と前記インプラント胴体を離隔させる緩衝部材と；
を含む骨代替インプラント。
【請求項２】
前記インプラント胴体は、チタン（Ｔｉ）系からなり、
前記緩衝部材は、ポリエーテルエーテルケトン（ＰＥＥＫ；Ｐｏｌｙｅｔｈｅｒｅｔｈｅｒｋｅｔｏｎｅ）素材からなる、請求項１に記載の骨代替インプラント。
【請求項３】
前記生体活性結晶化ガラス素材は、ＣａＳｉＯ３、アパタイトおよびＣａ２Ｍｇ（Ｓｉ２Ｏ７）を１：０．７〜１．５：０．５〜１．２の重量比で含む、請求項１に記載の骨代替インプラント。
【請求項４】
前記胴体は、患者の医療映像情報に基づいてＣＡＤ／ＣＡＭまたは３Ｄプリンティングにより製造される、請求項１に記載の骨代替インプラント。
【請求項５】
前記骨癒合部材は、隣接した第１椎骨と第２椎骨との間の空間に埋め込められ、
前記胴体は、前記第１椎骨および前記第２椎骨それぞれの表面形状に対応する形状を有し、
前記インプラント胴体は、前記第１椎骨および前記第２椎骨に固定されるプレートを含み、前記緩衝部材に結合され、
前記緩衝部材を結合するための溝部が前記胴体の側面に設けられる、請求項１に記載の骨代替インプラント。
【請求項６】
前記緩衝部材は、
前記骨癒合部材の胴体に結合するための一対の支持部と；
前記一対の支持部を連結する中央部と；を含み、
前記支持部は、前記骨癒合部材の胴体の溝部に嵌着方式で挿入結合される、請求項５に記載の骨代替インプラント。
【請求項７】
前記インプラント胴体は、隣接した第１棘突起と第２棘突起の間を固定し、
前記胴体は、矩形からなり、
前記胴体の側面には、前記第１棘突起および前記第２棘突起それぞれの接触面に対応する位置に凹部が設けられ、
前記インプラント胴体は、前記第１棘突起および前記第２棘突起の一側面に固定するための第１プレートと、前記第１棘突起および前記第２棘突起の他側面に固定するための第２プレートとを含み、
前記胴体の中央部には、前記第１プレートのシャフトおよび前記緩衝部材が挿入される貫通ホールが設けられる、請求項１に記載の骨代替インプラント。
【請求項８】
前記緩衝部材は、一対からなり、前記一対の緩衝部材それぞれは、
前記第１プレートまたは前記第２プレートと前記骨癒合部材との間を離隔するように板状からなり、当該中央部には、前記第１プレートのシャフトに対応する形状の貫通ホールが設けられる板状の離隔部と；
前記離隔部から延長形成されて前記貫通ホールの側壁を成し、前記シャフトと前記骨癒合部材を離隔させるように前記骨癒合部材の貫通ホールに挿入される挿入部と；を含む、請求項７に記載の骨代替インプラント。
【請求項９】
前記インプラント胴体は、互いに連結された複数個の脊椎体のうちいずれか一つを代替し、
前記骨癒合部材は、前記脊椎体の表面と対応する形状を有し、互いに間隔をもって離隔配置される上部および下部骨癒合部材を含み、
前記インプラント胴体は、前記上部および下部骨癒合部材の間に配置され、ユーザの操作時にスライディング移動を通じて前記上部および下部骨癒合部材の間の間隔を調節して全体の長さを可変させる長さ調節部を含む、請求項１に記載の骨代替インプラント。
【請求項１０】
前記インプラント胴体は、上・下部が開放された中空型の金属材質からなり、上方が前記上部骨癒合部材と固定結合される第１ケースと；
上・下部が開放された中空型の金属材質からなり、下方が前記下部骨癒合部材と固定結合され、前記第１ケースに対してスライディング移動可能に結合される第２ケースと；をさらに含み、
前記緩衝部材は、前記第１ケースと前記上部骨癒合部材の対向面の間および前記第２ケースと下部骨癒合部材の対向面の間にそれぞれ配置され、
前記上部骨癒合部材および下部骨癒合部材の胴体から一方向に突出形成される突出部側に結合される、請求項９に記載の骨代替インプラント。
【発明の詳細な説明】
【技術分野】
【０００１】
本発明は、骨代替インプラントに関し、特に、施術が容易であり、骨との癒合性および機械的安定性を向上させることができる骨代替インプラントに関する。
【背景技術】
【０００２】
一般的に、骨代替インプラントは、病変による除去または喪失が発生した骨を代替するためのものであって、脊椎体や椎間体を代替するための脊椎インプラントが代表的である。
【０００３】
従来、このような骨代替インプラントをチタン（Ｔｉ）のような金属やポリエーテルエーテルケトン（ＰＥＥＫ；Ｐｏｌｙｅｔｈｅｒｅｔｈｅｒｋｅｔｏｎｅ）のような高分子材料などで製作したが、このような材料は、骨との癒合性が互いに異なっている。
【０００４】
ここで、このようなインプラント材料は、骨との癒合性が高くなく、骨との低い癒合性を克服するために、骨移植材を必須的に別途使用する。
【０００５】
しかしながら、このような骨移植材を適用するためには、骨移植材を効果的に収容できる構造をインプラントに具備しなければならず、施術時に骨移植材を施術する場合、わずらわしい問題点がある。
【０００６】
なお、骨移植材を使用する場合にも、骨と直接接触するインプラント材料の低い癒合性に起因して、インプラントと骨の間の融合を補助するのに十分でないので、骨とインプラント間の癒合性の向上のための努力が絶えず行われてきたが、依然として根本的な解決方案がないのが現状である。
【発明の概要】
【発明が解決しようとする課題】
【０００７】
前述のような従来技術の問題点を解決するために、本発明の一実施形態は、施術が容易であり、骨との癒合性および機械的安定性を向上させることができる骨代替インプラントを提供しようとする。
【課題を解決するための手段】
【０００８】
上記のような課題を解決するための本発明の一態様によれば、生体活性結晶化ガラス素材からなる胴体を含み、隣接した骨の表面と接触して癒合するための骨癒合部材と；前記隣接した骨の間に固定するためのインプラント胴体と；前記骨癒合部材と前記インプラント胴体との間に配置されて、前記骨癒合部材と前記インプラント胴体を離隔させる緩衝部材と；を含む骨代替インプラントが提供される。
【０００９】
一実施形態において、前記インプラント胴体は、チタン（Ｔｉ）系からなり、前記緩衝部材は、ポリエーテルエーテルケトン（ＰＥＥＫ；Ｐｏｌｙｅｔｈｅｒｅｔｈｅｒｋｅｔｏｎｅ）素材からなり得る。
【００１０】
一実施形態において、前記生体活性結晶化ガラス素材は、ＣａＳｉＯ３、アパタイトおよびＣａ２Ｍｇ（Ｓｉ２Ｏ７）を１：０．７〜１．５：０．５〜１．２の重量比で含むことができる。
【００１１】
一実施形態において、前記胴体は、患者の医療映像情報に基づいてＣＡＤ／ＣＡＭまたは３Ｄプリンティングにより製造され得る。
【００１２】
一実施形態において、前記骨癒合部材は、隣接した第１椎骨と第２椎骨との間の空間に埋め込められ、前記胴体は、前記第１椎骨および前記第２椎骨それぞれの表面形状に対応する形状を有し、前記インプラント胴体は、前記第１椎骨および前記第２椎骨に固定されるプレートを含み、前記緩衝部材に結合され、前記緩衝部材を結合するための溝部が前記胴体の側面に設けられる。
【００１３】
一実施形態において、前記緩衝部材は、前記骨癒合部材の胴体に結合するための一対の支持部と；前記一対の支持部を連結する中央部と；を含み、前記支持部は、前記骨癒合部材の胴体の溝部に嵌着方式で挿入結合され得る。
【００１４】
一実施形態において、前記インプラント胴体は、隣接した第１棘突起と第２棘突起との間を固定し、前記胴体は、矩形からなり、前記胴体の側面には、前記第１棘突起および前記第２棘突起それぞれの接触面に対応する位置に凹部が設けられ、前記インプラント胴体は、前記第１棘突起および前記第２棘突起の一側面に固定するための第１プレートと、前記第１棘突起および前記第２棘突起の他側面に固定するための第２プレートとを含み、前記胴体の中央部には、前記第１プレートのシャフトおよび前記緩衝部材が挿入される貫通ホールが設けられる。
【００１５】
一実施形態において、前記緩衝部材は、一対からなり、前記一対の緩衝部材それぞれは、前記第１プレートまたは前記第２プレートと前記骨癒合部材との間を離隔するように板状からなり、当該中央部には、前記第１プレートのシャフトに対応する形状の貫通ホールが設けられる板状の離隔部と；前記離隔部から延長形成されて前記貫通ホールの側壁を成し、前記シャフトと前記骨癒合部材を離隔させるように前記骨癒合部材の貫通ホールに挿入される挿入部と；を含むことができる。
【００１６】
一実施形態において、前記インプラント胴体は、互いに連結された複数個の脊椎体のうちいずれか一つを代替し、前記骨癒合部材は、前記脊椎体の表面と対応する形状を有し、互いに間隔をもって離隔配置される上部および下部骨癒合部材を含み、前記インプラント胴体は、前記上部および下部骨癒合部材の間に配置され、ユーザの操作時にスライディング移動を通じて前記上部および下部骨癒合部材間の間隔を調節して、全体の長さを可変させる長さ調節部を含むことができる。
【００１７】
一実施形態において、前記インプラント胴体は、上・下部が開放された中空型の金属材質からなり、上部側が前記上部骨癒合部材と固定結合される第１ケースと；上・下部が開放された中空型の金属材質からなり、下部側が前記下部骨癒合部材と固定結合され、前記第１ケースに対してスライディング移動可能に結合される第２ケースと；をさらに含み、前記緩衝部材は、前記第１ケースと前記上部骨癒合部材の対向面の間および前記第２ケースと下部骨癒合部材の対向面の間にそれぞれ配置され、前記上部骨癒合部材および下部骨癒合部材の胴体から一方向に突出形成される突出部側に結合され得る。
【発明の効果】
【００１８】
本発明の一実施形態による骨代替インプラントは、骨との癒合性と強度が大きい素材を利用して骨との癒合性を向上させると同時に、機械的安定性を向上させることができる。
【００１９】
また、本発明は、脆性が大きい骨癒合部材と高強度のインプラント胴体との間に緩衝部材を具備して、外力により骨癒合部材の破損を抑制することができるので、機械的安定性をさらに向上させることができる。
【００２０】
また、本発明は、癒合部の面積を増加させて、骨との融合をさらに促進させることができ、骨間の位置をさらに安定的に固定させることができる。
【００２１】
また、本発明は、別途の骨移植材を具備する必要がないので、施術時に骨移植材を適用する煩わしさがなく、施術が容易であるので、施術時間を短縮することができ、患者および医療スタッフに便宜性を向上させることができる。
【図面の簡単な説明】
【００２２】
【図１】本発明の第１実施形態による骨代替インプラントの使用状態を示す図である。
【図２】本発明の第２実施形態による骨代替インプラントの使用状態を示す図である。
【図３】本発明の第３実施形態による骨代替インプラントの使用状態を示す図である。
【図４】図１の骨代替インプラントの斜視図である。
【図５】図５の分解斜視図である。
【図６】図２の骨代替インプラントの斜視図である。
【図７】図６において第２プレートの一部を除去した状態の斜視図である。
【図８】図６において第２プレートの斜視図である。
【図９】図５において骨癒合部と緩衝部の分解斜視図である。
【図１０】図３の骨代替インプラントにおいて作業ツールが締結される前の状態を示す図である。
【図１１】図１０の分離図である。
【図１２】図１０の断面図である。
【図１３】図１２において、ロックねじが締結された状態を示す図である。
【発明を実施するための形態】
【００２３】
以下、添付の図面を参照して本発明の実施形態について本発明の属する技術分野における通常の知識を有する者が容易に実施することができるように詳細に説明する。本発明は、いろいろな異なる形態で具現され得、ここで説明する実施形態に限定されない。図面において本発明を明確に説明するために説明と関係ない部分は省略し、明細書全体を通じて同一または同様の構成要素については、同じ参照符号を付けた。
【００２４】
以下では、図面を参照して本発明の実施形態による骨代替インプラントをより詳細に説明する。
【００２５】
図１〜図３を参照すると、本発明の実施形態による骨代替インプラント１００、２００、３００は、骨癒合部材１１０、２１０、３１０〜３２０、インプラント胴体１２０、２２０〜２３０、３３０〜３７０および緩衝部材１３０、２４０、３８０を含む。
【００２６】
ここで、図１に示されたような骨代替インプラント１００は、本発明の第１実施形態として、椎間軟骨などの椎間体を代替するためのものであって、椎間体代替用インプラントであってもよい。このような骨代替インプラント１００は、隣接した第１椎骨１１と第２椎骨１２との間の空間に埋め込められる。
【００２７】
図２に示されたような骨代替インプラント２００は、本発明の第２実施形態として、隣接する棘突起の間を固定するためのもので、棘突起インプラントであってもよい。このような骨代替インプラント２００は、隣接する第１棘突起２１と第２棘突起２２との間に挿入されて、第１棘突起２１および第２棘突起２２の両側面に固定される。
【００２８】
図３に示されたような骨代替インプラント３００は、本発明の第３実施形態として、互いに連結された複数個の脊椎体のうちいずれか一つを代替して、代替された脊椎体の役割を行うためのものであって、脊椎体代替用インプラントであってもよい。ここで、前記代替された脊椎体は、病変による損傷または喪失が発生した脊椎体であってもよい。
【００２９】
骨癒合部材１１０、２１０、３１０〜３２０は、隣接した骨の表面と接触して骨と癒合するためのものであって、生体活性結晶化ガラス素材からなる胴体を含むことができる。生体活性結晶化ガラス素材は、ＣａＳｉＯ３を含むことができる。また、前記生体活性結晶化ガラス素材は、Ｃａ１０（ＰＯ４）６Ａ（ここで、Ａは、酸素原子である）およびＣａ１０（ＰＯ４）６Ｂ２（ここで、Ｂは、水酸化基、フッ素原子または塩素原子である）の中から選ばれた１種以上を含むアパタイトおよびＣａ２Ｍｇ（Ｓｉ２Ｏ７）を含むことができる。ここで、前記生体活性結晶化ガラス素材は、ＣａＳｉＯ３、アパタイトおよびＣａ２Ｍｇ（Ｓｉ２Ｏ７）を１：０．７〜１．５：０．５〜１．２の重量比で含むことができる。
【００３０】
このような生体活性結晶化ガラス素材は、骨癒合特性および大きい強度を有するので、生体内移植されたとき、効果的に生体の硬組織欠損部を代替したり、骨格と融合を促進させることができる。
【００３１】
したがって、別途の骨移植材を具備する必要がないので、施術時に骨移植材を適用する煩わしさがなく、施術が容易であるので、施術時間を短縮することができ、患者および医療スタッフに便宜性を向上させることができる。
【００３２】
骨癒合部材１１０、２１０、３１０〜３２０の胴体は、接触する骨の表面形状に対応する形状を有することができる。一例として、骨癒合部材１１０、２１０、３１０〜３２０の胴体は、患者の医療映像情報に基づいてＣＡＤ／ＣＡＭまたは３Ｄプリンティングにより製造され得る。このような骨癒合部材１１０、２１０、３１０〜３２０の胴体は、接触する骨と接触する表面が傾斜したり屈曲するように形成され得る。
【００３３】
これを通じて、骨癒合部材１１０、２１０、３１０〜３２０は、患者の椎骨形状と実質的に類似または同一にオーダーメード式で製作が可能であるので、脊椎間の解剖学的型合わせ不一致を最小化することができる。
【００３４】
インプラント胴体１２０、２２０〜２３０、３３０〜３７０は、隣接した骨の間に固定するためのものであって、骨代替インプラント１００、２００、３００の適用部位に応じて多様な構造からなり得る。このようなインプラント胴体１２０、２２０〜２３０、３３０〜３７０は、椎間体を代替したり、脊椎体を代替したり、棘突起の間の固定のための構造を有することができる。
【００３５】
ここで、インプラント胴体１２０、２２０〜２３０、３３０〜３７０は、チタン（Ｔｉ）系からなり得る。一例として、インプラント胴体１２０、３３０〜３７０は、チタンからなり、インプラント胴体２２０、２３０は、Ｔｉ−６Ａｌ−４Ｖ素材からなり得る。
【００３６】
緩衝部材１３０、２４０、３８０は、ポリエーテルエーテルケトン（ＰＥＥＫ）素材からなり、骨癒合部材１１０、２１０、３１０〜３２０とインプラント胴体１２０、２２０〜２３０、３３０〜３７０との間に配置されて、骨癒合部材１１０、２１０、３１０〜３２０とインプラント胴体１２０、２２０〜２３０、３３０〜３７０を離隔させる。
【００３７】
このような緩衝部材１３０、２４０、３８０は、脆性が大きい骨癒合部材１１０、２１０、３１０〜３２０と金属材質のインプラント胴体１２０、２２０〜２３０、３３０〜３７０を互いに離隔するためのものであって、骨癒合部材１１０、２１０、３１０〜３２０とインプラント胴体１２０、２２０〜２３０、３３０〜３７０が直接接触する場合、人体または隣接した骨から加えられる外力により破損するのを防止することができる。
【００３８】
以下、図４および図１２を参照して本発明の実施形態による骨代替インプラント１００、２００、３００をさらに詳細に説明する。
【００３９】
本発明の第１実施形態に骨代替インプラント１００は、図４および図５に示されたように、骨癒合部材１１０、プレート１２０および緩衝部材１３０を含む。ここで、プレート１２０は、インプラント胴体に対応する。
【００４０】
このような骨代替インプラント１００は、第１ねじ１４０ａにより第１椎骨１１に結合され、第２ねじ１４０ｂにより第２椎骨１２に結合され得る。
【００４１】
この際、骨癒合部材１１０は、第１椎骨１１と第２椎骨１２の両側の間に埋め込められ、プレート１２０は、第１椎骨１１と第２椎骨１２の一端に固定され得る。
【００４２】
骨癒合部材１１０は、生体活性結晶化ガラス素材からなる胴体１１０ａを含むことができる。このような胴体１１０ａは、第１椎骨１１および第２椎骨１２のそれぞれの表面形状に対応する形状を有することができる。一例として、胴体１１０ａは、患者の医療映像情報に基づいてＣＡＤ／ＣＡＭまたは３Ｄプリンティングにより製造され得る。このような胴体１１０ａは、第１椎骨１１および第２椎骨１２と接触する表面が傾斜するように形成され得る。
【００４３】
ここで、胴体１１０ａは、その側面に沿って溝部１１１ａ、１１１ｂ、１１１ｃが設けられる。この際、胴体１１０ａ両側の溝部１１１ａには、緩衝部材１３０の支持部１３１が挿入結合され得る。
【００４４】
また、胴体１１０ａ前方の溝部１１１ｂは、緩衝部材１３０の中央部１３２が挿入結合され、後方の溝部１１１ｃには、緩衝部材１３０の支持部１３１の終端が挿入結合され得る。すなわち、胴体１１０ａは、溝部１１１ａ、１１１ｂ、１１１ｃに緩衝部材１３０が挿入されて取り囲む形態で形成され得る。
【００４５】
これにより、骨癒合部材１１０は、緩衝部材１３０を介して第１椎骨１１と第２椎骨１２に固定するためのプレート１２０に結合され得る。
【００４６】
また、胴体１１０ａの上面および下面、すなわち、第１椎骨１１および第２椎骨１２それぞれと接触する表面には、一方向に突起部１１２が複数個で設けられる。このような突起部１１２それぞれは、胴体１１０ａの表面から一定の厚さと長さで設けられ、互いに一定の間隔で設けられる。
【００４７】
これを通じて、第１椎骨１１および第２椎骨１２と接合される癒合面積を増加させることによって、骨との融合をさらに促進させることができ、第１椎骨１１および第２椎骨１２と癒合する突起部１１２により骨の間で胴体１１０ａの位置をさらに安定的に固定させることができる。
【００４８】
なお、突起部１１２と第１椎骨１１および第２椎骨１２は、相互間摩擦結合により胴体１１０ａの固定力を向上させることができる。
【００４９】
プレート１２０は、チタン（Ｔｉ）からなる胴体１２１を含み、第１ねじ１４０ａおよび第２ねじ１４０ｂにより第１椎骨１１および第２椎骨１２に固定される。
【００５０】
このようなプレート１２０は、胴体１２１の両側に第１ねじ１４０ａを収容する第１収容溝１２２ａおよび第２ねじ１４０ｂを収容する第２収容溝１２２ｂが設けられる。このような第１収容溝１２２ａおよび第２収容溝１２２ｂは、互いに異なる角度で傾斜するように設けられる。すなわち、第１ねじ１４０ａおよび第２ねじ１４０ｂが互いに異なる方向の角度で第１椎骨１１および第２椎骨１２に結合されるので、第１ねじ１４０ａおよび第２ねじ１４０ｂがプレート１２０に挿入される角度で互いに異なるように第１収容溝１２２ａおよび第２収容溝１２２ｂは、傾斜するように設けられる。
【００５１】
また、第１収容溝１２２ａおよび第２収容溝１２２ｂは、選択的にその内部に第１ねじ１４０ａおよび第２ねじ１４０ｂを締結するためのねじ山が設けられてもよい。
【００５２】
また、プレート１２０は、第１収容溝１２２ａと第２収容溝１２２ｂとの間の中央部に第１ねじ１４０ａおよび第２ねじ１４０ｂのロックのためのロックねじ１２９を収容する一対の収容溝１２４が設けられる。
【００５３】
ここで、一対の収容溝１２４は、隔壁により互い分離して、独立して設けられ、その一側には、第１収容溝１２２ａおよび第２収容溝１２２ｂと連通する連通部１２５が設けられる。すなわち、一対の収容溝１２４と第１収容溝１２２ａおよび第２収容溝１２２ｂは、互いに重なるように設けられて、その一部が互いに連通する。
【００５４】
これを通じて、連通部１２５においてロックねじ１２９のヘッド部が第１収容溝１２２ａおよび第２収容溝１２２ｂの一部を閉塞することによって、第１ねじ１４０ａおよび第２ねじ１４０ｂが外部に離脱しないようにロックを行うことができる。
【００５５】
この際、ロックねじ１２９は、一側に一部が内側に凹設された第１部分１２９ａを含むことができる。ここで、第１部分１２９ａは、連通部１２５に対応する形状で形成され得る。すなわち、ロックねじ１２９がプレート１２０に一体に設けられる場合、第１部分１２９ａが連通部１２５に位置するように回転させることによって、第１収容溝１２２ａおよび第２収容溝１２２ｂは、ロックねじ１２９により閉塞される部分がなく、完全に開放されるので、第１ねじ１４０ａおよび第２ねじ１４０ｂが第１収容溝１２２ａおよび第２収容溝１２２ｂに挿入され得る。
【００５６】
また、プレート１２０は、第１椎骨１１に接触する面と第２椎骨１２に接触する面において少なくとも一つのくさび部１２３が設けられる。すなわち、図５に示されたように、プレート１２０は、第１収容溝１２２ａの下側面、および第２収容溝１２２ｂの上側面に互いに対称する位置に少なくとも一つのくさび部１２３が設けられる。
【００５７】
ここで、くさび部１２３は、第１ねじ１４０ａおよび第２ねじ１４０ｂの締結方向と反対位置に設けられる。すなわち、図４に示されたように、第１ねじ１４０ａが骨癒合部材１１０の上側に結合されると、くさび部１２３は、第１収容溝１２２ａの下側に配置され、第２ねじ１４０ｂが骨癒合部材１１０の下側に結合されると、くさび部１２３は、第２収容溝１２２ｂの上側に配置され得る。
【００５８】
しかし、くさび部１２３の形成位置は、第１ねじ１４０ａおよび第２ねじ１４０ｂの締結方向によって変形され得ることはもちろんである。
【００５９】
このようなくさび部１２３は、複数個で設けられる場合、互いに一定の間隔で離隔するように配置され得、一端は、第１椎骨１１または第２椎骨１２に固定されるように先端が鋭く形成され得る。
【００６０】
これを通じて、患者の動きによって発生しうる骨代替インプラント１００の歪みを抑制したり最小化することができ、構造的安定性をさらに向上させることができ、したがって、骨代替インプラント１００の使用寿命を延長させることができる。
【００６１】
また、プレート１２０は、両側に緩衝部材１３０の締結溝１３５に対応する締結突起１２７が設けられる。このような締結突起１２７は、プレート１２０の後方側に、すなわち、緩衝部材１３０側に形成され得る。ここで、締結突起１２７は、その一端が胴体１２１の内側に折れた形態で設けられる。すなわち、締結突起１２７は、胴体１２１の後面で「┐」字状に形成され得る。
【００６２】
これを通じて、プレート１２０は、緩衝部材１３０に簡単な構造により結合され得る。このため、プレート１２０は、その厚さを薄く形成することができるので、プレート１２０の体積を最小化して、骨癒合部材１１０の体積を大きく形成することができ、したがって、骨との癒合面積をさらに増加させることができる。
【００６３】
緩衝部材１３０は、ポリエーテルエーテルケトン（ＰＥＥＫ）素材からなり、骨癒合部材１１０とプレート１２０との間に配置されて、骨癒合部材１１０とプレート１２０を結合することができる。ここで、緩衝部材１３０は、一対の支持部１３１および中央部１３２を含むことができる。
【００６４】
一対の支持部１３１は、骨癒合部材１１０の胴体１１０ａに結合するためのものであって、胴体１１０ａの溝部１１１ａに挿入結合され得る。この際、支持部１３１の一端は、内側に曲げられた折り曲げ部１３３を含むことができる。ここで、折り曲げ部１３３は、骨癒合部材１１０の胴体１１０ａの溝部１１１ｃの両側に挿入結合され得る。
【００６５】
中央部１３２は、一対の支持部１３１の間を連結し、骨癒合部材１１０の胴体１１０ａの溝部１１１ｂに挿入結合され得る。
【００６６】
これを通じて、緩衝部材１３０は、支持部１３１と中央部１３２が骨癒合部材１１０の溝部１１１ａ、１１１ｂ、１１１ｃにそれぞれ挿入結合され、この際、嵌着方式で挿入結合され得る。
【００６７】
ここで、中央部１３２の両側には、第１ねじ１４０ａおよび第２ねじ１４０ｂが一定の角度で第１椎骨１１および第２椎骨１２に結合されるように一対のガイド溝１３４が設けられる。すなわち、第１ねじ１４０ａおよび第２ねじ１４０ｂは、図１に示されたように、第１椎骨１１および第２椎骨１２にななめに結合されるので、プレート１２０の後方に配置される緩衝部材１３０の中央部１３２と干渉され得る。
【００６８】
これを解消するために、一対のガイド溝１３４が第１収容溝１２２ａおよび第２収容溝１２２ｂと連通して形成され得る。この際、一対のガイド溝１３４は、中央部１３２の両側で互いに対称する位置に配置され得る。
【００６９】
すなわち、第１収容溝１２２ａに対応するガイド溝１３４は、中央部１３２で上側に配置され、第２収容溝１２２ｂに対応するガイド溝１３４は、中央部１３２で下側に配置され得る。
【００７０】
ここで、ガイド溝１３４は、第１ねじ１４０ａおよび第２ねじ１４０ｂの締結方向と同じ位置に設けられる。すなわち、図４に示されたように、第１ねじ１４０ａが骨癒合部材１１０の上側に結合されると、第１収容溝１２２ａに対応するガイド溝１３４は、中央部１３２で上側に配置され、第２ねじ１４０ｂが骨癒合部材１１０の下側に結合されると、第２収容溝１２２ｂに対応するガイド溝１３４は、中央部１３２で下側に配置され得る。
【００７１】
しかし、第１収容溝１２２ａ、第２収容溝１２２ｂおよび一対のガイド溝１３４の形状は、第１ねじ１４０ａおよび第２ねじ１４０ｂの締結方向または締結方式によって変形され得ることもちろんである。
【００７２】
このようなガイド溝１３４は、中央部１３２で上側または下側に開放された形態で設けられる。一例として、ガイド溝１３４は、半球形状に設けられる。
【００７３】
これを通じて、第１椎骨１１および第２椎骨１２に結合される第１ねじ１４０ａおよび第２ねじ１４０ｂの可変的な結合角度が容易に確保され得る。
【００７４】
また、緩衝部材１３０は、中央部１３２の両側にプレート１２０を結合するための締結溝１３５が設けられる。このような締結溝１３５は、プレート１２０の締結突起１２７に対応する形状に設けられる。
【００７５】
一例として、締結溝１３５は、図５に示されたように、中央部１３２の両側で支持部１３１の一側から内側に形成され得る。ここで、締結溝１３５の下端１３５ａは、プレート１２０の締結突起１２７の下面が支持されるように支持部１３１から延長形成され得る。
【００７６】
これを通じて、プレート１２０が緩衝部材１３０の前面に結合され、骨癒合部材１１０が緩衝部材１３０の後面に結合されることによって、プレート１２０と骨癒合部材１１０が一定間隔で離隔しつつ、安定的に結合され得る。
【００７７】
本発明の第２実施形態による骨代替インプラント２００は、図６〜図９に示されたように、骨癒合部材２１０、第１プレート２２０、第２プレート２３０および緩衝部材２４０を含む。ここで、第１プレート２２０および第２プレート２３０は、インプラント胴体に対応する。
【００７８】
このような骨代替インプラント２００は、第１プレート２２０のシャフト２２４に設けられたねじ山２２６を介して第２プレート２３０との長さを調整することによって、第１プレート２２０と第２プレート２３０が第１棘突起２１および第２棘突起２２の両側面を加圧して、それに固定され得る。
【００７９】
この際、骨癒合部材２１０は、第１棘突起２１と第２棘突起２２との間の空間に埋め込められて、第１棘突起２１および第２棘突起２２の互いに対向する側面に密着することができる。
【００８０】
骨癒合部材２１０は、生体活性結晶化ガラス素材からなる胴体２１１を含むことができる。このような胴体２１１は、第１棘突起２１および第２棘突起２２のそれぞれの形状に対応する形状を有することができる。一例として、胴体２１１は、患者の医療映像情報に基づいてＣＡＤ／ＣＡＭまたは３Ｄプリンティングにより製造され得る。
【００８１】
ここで、胴体２１１は、図９に示されたように、矩形からなり、胴体２１１の側面には、第１棘突起２１および第２棘突起２２それぞれの接触面に対応する位置に凹部２１２が設けられる。すなわち、凹部２１２は、第１棘突起２１と第２棘突起２２が互いに対向する側面が容易に接触するように胴体２１１の側面に設けられる。
【００８２】
このような凹部２１２は、スレッド（ｔｈｒｅａｄ）構造を有するスレッド部２１２ａが設けられる。すなわち、凹部２１２には、複数の溝部または突起部が一定間隔で連続的に設けられて、スレッド構造からなり得る。
【００８３】
これにより、第１棘突起２１および第２棘突起２２と接合される癒合面積を増加させることによって、骨との融合をさらに促進させることができ、第１棘突起２１および第２棘突起２２とスレッド部２１２ａにより骨の間で胴体２１１の位置をさらに安定的に固定させることができる。
【００８４】
なお、スレッド部２１２ａと第１棘突起２１および第２棘突起２２の側面は、相互間の摩擦結合によって胴体２１１の固定力をさらに向上させることができる。
【００８５】
また、胴体２１１の中央部には、図８に示されたように、第１プレート２２０のシャフト２２４が挿入される貫通ホール２１３が設けられる。このような貫通ホール２１３には、第１プレート２２０および第２プレート２３０と骨癒合部材２１０を離隔させる緩衝部材２４０が挿入され得る。
【００８６】
このような貫通ホール２１３は、緩衝部材２４０の形状に対応する形状につながり、略円形状からなり得る。すなわち、貫通ホール２１３には、一対の緩衝部材２４０がまず挿入された後、緩衝部材２４０内の貫通ホール２４３に第１プレート２２０のシャフト２２４が挿入され得る。
【００８７】
これにより、骨癒合部材２１０は、緩衝部材２４０を挟んで第１プレート２２０および第２プレート２３０と結合され得る。
【００８８】
第１プレート２２０は、チタン（Ｔｉ）系からなる胴体２２１を含み、第１棘突起２１および第２棘突起２２の一側面に固定される。ここで、胴体２２１は、Ｔｉ−６Ａｌ−  ４Ｖ素材からなり得る。
【００８９】
このような第１プレート２２０は、図６に示されたように、一対からなり得る。すなわち、第１プレート２２０は、第１棘突起２１および第２棘突起２２の形状によって第２プレート２３０と間隔を相異に調整することができる。
【００９０】
この際、一対の第１プレート２２０それぞれは、骨癒合部材２１０の貫通ホール２１３に挿入されるシャフト２２４が一体に設けられる。ここで、シャフト２２４は、一対の第１プレート２２０において中心側に設けられる。すなわち、一対の第１プレート２２０は、互いに対向する側にシャフト２２４が設けられる。
【００９１】
なお、第１プレート２２０は、一対からなるので、施術を行う患者の部位によって互いに異なるように形態を採用することができる。一例として、骨代替インプラント２００が骨盤部位に挿入される場合、下部に配置される第１プレート２２０は、骨盤骨の接合面に適合した形態で設けられ、上部に配置される第１プレート２２０は、棘突起に接合面に適合した形態で設けられる。
【００９２】
ここで、シャフト２２４の一端で一領域には、ねじ山２２６が設けられる。このようなねじ山２２６は、鋸歯状からなり得る。この際、ねじ山２２６は、図７に示されたように、第２プレート２３０の間隔調節部材２３６のねじ山と噛合して直線運動することによって、第１プレート２２０と第２プレート２３０の間隔を調整することができる。
【００９３】
ここで、シャフト２２４の一端２２５は、鋭い形状からなり得る。すなわち、シャフト２２４は、図７に示されたように、胴体２２１の対向側の一端に面取りを通じて鋭い形状からなり得る。
【００９４】
これを通じて、第１プレート２２０を第１棘突起２１と第２棘突起２２との間の空間に挿入する作業が容易に行われ得る。
【００９５】
また、胴体２２１には、図６および図７に示されたように、骨形成タンパク質（ＢＭＰ）を収容する収容ホール２２３が設けられる。このような収容ホール２２３は、胴体２２１の両側面を貫通して形成されることによって、骨形成タンパク質（ＢＭＰ）または流体が移動できる通路を提供することができる。
【００９６】
これを通じて、第１棘突起２１と第２棘突起２２との間で骨代替インプラント２００と骨との融合を向上させることができる。
【００９７】
また、胴体２２１は、第１棘突起２１および第２棘突起２２に接する面に、すなわち、シャフト２２４が設けられる内側面に複数個の突起部２２２が設けられる。ここで、図６に示されたように、第１プレート２２０は、内側面から外郭側に複数個の突起部２２２が設けられる。すなわち、突起部２２２は、胴体２２１においてシャフト２２４が設けられた反対側に設けられる。
【００９８】
このような突起部２２２は、第１棘突起２１および第２棘突起２２に固定されるように、先端が鋭く形成され得る。この際、突起部２２２の形状は、第１棘突起２１および第２棘突起２２に固定される部位に応じて互いに異なるサイズに設けられる。
【００９９】
これを通じて、患者の動きによって発生しうる骨代替インプラント２００の歪みを抑制したり最小化することができるので、構造的安定性をさらに向上させることができ、  したがって、骨代替インプラント２００の使用寿命を延長させることができる。
【０１００】
第２プレート２３０は、チタン（Ｔｉ）系からなる胴体２３０ａを含み、第１棘突起２１および第２棘突起２２の他側面に固定される。ここで、胴体２３０ａは、Ｔｉ−６Ａｌ−４Ｖ素材からなり得る。
【０１０１】
このような胴体２３０ａは、第２プレート２３０は、一体に形成され、その中央部には、第１プレート２２０のシャフト２２４が挿入される収容ホール２３３が設けられる。
【０１０２】
ここで、収容ホール２３３の上側には、収容ホール２３３と連通して空間部２３５が形成され、空間部２３５内には、図７に示されたように、間隔調節部材２３６が挿入され得る。この際、間隔調節部材２３６は、下側に第１プレート２２０のシャフト２２４に設けられたねじ山２２６に対応する形状のねじ山が設けられる。
【０１０３】
間隔調節部材２３６の上側には、間隔調節部材２３６を固定するためのロックねじ２３７が設けられ、ロックねじ２３７の一側には、ロックねじを固定するための固定ピン２３９と固定ピン２３９を固定するためのロックピン２３８が設けられる。
【０１０４】
これにより、第１プレート２２０のシャフト２２４を第２プレート２３０の収容ホール２３３に挿入した状態で長さを調整した後、間隔調節部材２３６がシャフト２２４の当該位置のねじ山２２６に固定されるようにロックねじ２３７を回転させた後、ロックピン２３８を挿入することによって、第１プレート２２０と第２プレート２３０の間の距離を固定させることができる。
【０１０５】
また、胴体２３０ａは、収容ホール２３３が外側に延びるようにガイドする拡張ガイド２３４が設けられる。このような拡張ガイド２３４は、胴体２３０ａから外側に、すなわち第１プレート２２０の反対側面から外部に突出形成され得る。
【０１０６】
これを通じて、収容ホール２３３に挿入されて第２プレート２３０の外部に突出する第１プレート２２０のシャフト２２４にモメンタム（ｍｏｍｅｎｔｕｍ）を収容することができるので、機構的安定性をさらに向上させることができる。
【０１０７】
また、第２プレート２３０は、図８に示されたように、骨形成タンパク質（ＢＭＰ）を収容する収容ホール２３２が設けられる。このような収容ホール２３２は、胴体２３０ａの両側面を貫通して形成されることによって、骨形成タンパク質（ＢＭＰ）または流体が移動できる通路を提供することができる。
【０１０８】
これを通じて、第１棘突起２１と第２棘突起２２との間で骨代替インプラント２００と骨との融合を向上させることができる。
【０１０９】
また、胴体２３０ａは、第１棘突起２１および第２棘突起２２に接する面に、すなわち、第１プレート２２０に対向する内側面に複数個の突起部２３１が設けられる。ここで、図８に示されたように、第２プレート２３０は、内側面から外郭側に複数個の突起部２３１が設けられる。すなわち、突起部２３１は、胴体２３１０ａで収容ホール２３３の両側に設けられる。
【０１１０】
このような突起部２３１は、第１棘突起２１および第２棘突起２２に固定されるように先端が鋭く形成され得る。この際、突起部２３１の形状は、第１棘突起２１および第２棘突起２２に固定される部位に応じて互いに異なるサイズに設けられる。
【０１１１】
これを通じて、患者の動きによって発生しうる骨代替インプラント２００の歪みを抑制したり最小化することができるので、構造的安定性をさらに向上させることができ、したがって、骨代替インプラント２００の使用寿命を延長させることができる。
【０１１２】
このように、第１プレート２２０および第２プレート２３０が着脱可能に結合され得るので、第１棘突起２１および第２棘突起２２の靭帯を除去せずとも、骨代替インプラント２００を施術することができ、したがって、患者の回復時間を短縮することができる。
【０１１３】
緩衝部材２４０は、ポリエーテルエーテルケトン（ＰＥＥＫ）素材からなり、骨癒合部材２１０と第１プレート２２０および第２プレート２３０の間に配置されて、骨癒合部材２１０と第１プレート２２０および第２プレート２３０を離隔させることができる。ここで、緩衝部材２４０は、離隔部２４１および挿入部２４２を含むことができる。
【０１１４】
離隔部２４１は、第１プレート２２０または第２プレート２３０と骨癒合部材２１０の間を離隔するように一定の厚さで板状からなり得る。すなわち、離隔部２４１は、図９に示されたように、緩衝部材２４０の両側面が第１プレート２２０および第２プレート２３０と離隔するように板状からなり得る。
【０１１５】
この際、緩衝部材２４０は、第１プレート２２０および第２プレート２３０と骨癒合部材２１０の間を離隔する同時に、その内部に第１プレート２２０のシャフト２２４が挿入されるようにリング形状からなり得る。ここで、緩衝部材２４０の外径は、骨癒合部材２１０の幅より小さく、内径は、骨癒合部材２１０の貫通ホール２１３より大きくてもよい。
【０１１６】
また、緩衝部材２４０は、図５に示されたように、緩衝部材２４０の貫通ホール２１３の内部で第１プレート２２０のシャフト２２４から離隔しなければならない。すなわち、緩衝部材２４０は、骨癒合部材２１０の貫通ホール２１３に挿入されなければならない。この際、離隔部２４１は、骨癒合部材２１０の貫通ホール２１３の内径より大きいので、緩衝部材２４０は、骨癒合部材２１０の貫通ホール２１３に挿入され得るように一対からなり得る。この際、一対の緩衝部材２４０それぞれは、図９に示されたように、骨癒合部材２１０の両側でそれぞれ挿入され得る。
【０１１７】
また、離隔部２４１の中央部には、貫通ホール２４３が設けられる。このような貫通ホール２４３は、第１プレート２２０のシャフト２２４の形状に対応する形状からなり得る。一例として、貫通ホール２４３は、矩形のシャフト２２４に対応して矩形からなり得る。
【０１１８】
挿入部２４２は、離隔部２４１から延長形成されて、貫通ホール２４３の側壁を成すことができる。ここで、挿入部２４２は、骨癒合部材２１０の厚さによる長さで構成され得る。すなわち、挿入部２４２の長さは、骨癒合部材２１０の貫通ホール２１３に挿入される長さであってもよい。この際、緩衝部材２４０が同一形状を有する一対である場合、挿入部２４２の長さは、同一に構成され得るが、互いに異なるように構成されることもできる。
【０１１９】
これにより、緩衝部材２４０は、骨癒合部材２１０の両側面および貫通ホール２１３の内部で第１プレート２２０および第２プレート２３０と離隔を保障することによって、外力により骨癒合部材２１０の破損を防止することができる。
【０１２０】
この際、一対の第１プレート２２０の胴体２２１および第２プレート２３０の胴体２３０ａは、連なって配置されるとき、互いに干渉しないように、両側面が略４５度程度で同じ傾きで形成され得る。
【０１２１】
このような棘突起インプラント２００は、互いに連なった棘突起に連続的に使用され得る。すなわち、第１棘突起２１と第２棘突起２２との間および第２棘突起２２と第３棘突起（不図示）との間で連なって配置され得る。
【０１２２】
これを通じて、脊椎の損傷の程度および範囲に応じて複数の棘突起インプラント２００を容易に施術することができる。
【０１２３】
一方、本発明の第２実施形態による棘突起インプラント２００は、第１プレート２２０および第２プレート２３０それぞれが、施術される患者の部位によって一側と他側が互いに異なる形態で設けられる。すなわち、棘突起インプラント２００は、骨盤骨と接する面積を最大化することができるように、一体型の第２プレート２３０の一側の胴体と一対の第１プレート２２０の一側の胴体を翼型に変更することができる。
【０１２４】
一例として、棘突起インプラント２００は、第１プレート２２０および第２プレート２３０がいずれも「Ｌ」字状または逆「Ｌ」字状に一側が折り曲げられてもよい。
【０１２５】
すなわち、一対の第１プレート２２０のうち一つのプレートは、上述したような胴体２２１からなり、他の一つのプレートは、「Ｌ」字状または逆「Ｌ」字状形態の胴体（不図示）からなり得る。
【０１２６】
このように構成された第１プレート２２０の一側の「Ｌ」字状胴体（不図示）および第２プレート２３０一側の「Ｌ」字状胴体（不図示）は、骨盤骨に接するように配置された後、ねじ（不図示）を介して骨盤骨に固定され、第１プレート２２０の他側胴体２２１および第２プレート２３０の他側胴体２３０ａを棘突起２１、２２との接合面に固定することができる。
【０１２７】
これを通じて、棘突起インプラント２００は、骨盤骨と隣接した棘突起に固定が容易であるので、骨盤部位の脊椎疾患に適合に使用され得る。
【０１２８】
本発明の第３実施形態による骨代替インプラント３００は、図１０〜図１３に示されたように、骨癒合部材３１０、３２０、長さ調節部３３０、３４０、３５０、ケース３６０、３７０および緩衝部材３８０を含む。ここで、長さ調節部３３０、３４０、３５０およびケース３６０、３７０は、インプラント胴体に対応する。
【０１２９】
骨癒合部材３１０、３２０は、一面が断絶した脊椎体の表面に直接接触して、断絶した二つの脊椎体３２、３４を相互連結するためのものである。すなわち、骨癒合部材３１０、３２０は、二つで設けられ、前記長さ調節部を媒介として互いに間隔をもって離隔配置されることによって、互いに断絶した二つの脊椎体３２、３４とそれぞれ接触することができる。
【０１３０】
このために、骨癒合部材３１０、３２０は、互いに断絶した二つの脊椎体３２、３４のうち上側に位置する脊椎体３２の表面と一面が接触する上部骨癒合部材３１０と、二つの脊椎体のうち下側に位置する脊椎体の表面３４と一面が接触する下部骨癒合部材３２０とから構成され得る。
【０１３１】
このような骨癒合部材３１０、３２０は、前記脊椎体と接触する一面が前記脊椎体の表面形状と対応する形状を有することができる。一例として、骨癒合部材３１０、３２０の一面は、患者の医療映像情報に基づいてＣＡＤ／ＣＡＭまたは３Ｄプリンティングにより製造され得る。ここで、前記脊椎体と接触する骨癒合部材３１０、３２０の一面は、水平面を有することもでき、傾斜するように形成されることもできる。
【０１３２】
一例として、骨癒合部材３１０、３２０は、前記脊椎体の一面と対応する形状の接触面を有する胴体３１２、３２２と、前記接触面の反対面に一定の長さに延びる突出部３１４、３２４とから構成され得、突出部３１４、３２４側には、後述する緩衝部材３８０が締結され得る。
【０１３３】
ここで、骨癒合部材３１０、３２０のうち上部骨癒合部材３１０は、後述する長さ調節部の動力伝達部材３５０が結合され得、下部骨癒合部材３２０は、後述する長さ調節部の被可動部材３４０が結合され得る。
【０１３４】
この際、前記接触面側には、複数個の突起部３１１、３２１が一方向に突出形成され得る。このような突起部３１１、３２１は、前記接触面の表面から所定の高さをもって所定のパターンで形成され得る。
【０１３５】
これを通じて、それぞれの脊椎体３２、３４と接合される癒合面積を増加させることによって、脊椎体３２、３４と骨癒合部材３１０、３２０間の融合をさらに促進させることができ、脊椎体３２、３４と癒合する突起部３１１、３２１を介して断絶した脊椎体３２、３４の間で骨癒合部材３１０、３２０の位置をさらに安定的に固定させることができる。
【０１３６】
また、骨癒合部材３１０、３２０は、脊椎体３２、３４と接触する接触面上に所定の長さで突出形成される少なくとも一つのくさび部３９０が形成され得る。このようなくさび部３９０は、本発明の第３実施形態による骨代替インプラント３００が連続的に配列された複数個の脊椎体のうちいずれか一つを代替して二つの脊椎体３２、３４の間に配置される場合、互いに接触する脊椎体３２、３４の一面に打ち込まれて結合力を増加させることができる。これを通じて、互いに接するそれぞれの脊椎体３２、３４と骨癒合部材３１０、３２０がくさび部３９０を介して分離される危険性が最小化されることによって、本発明の第３実施形態による骨代替インプラント３００が互いに断絶した二つの脊椎体３２、３４をさらに安定的に支持することができる。
【０１３７】
ここで、くさび部３９０は、胴体３１２、３２２と一体に形成されることもできるが、胴体３１２、３２２の接触面で内側に一定の深さで引込形成される保持溝３１３、３２３に挿入される方式で結合され得る。しかも、くさび部３９０は、脊椎体３２、３４との結合性および締結性を高めることができるように、胴体３１２、３２２の接触面から外側に行くほど断面積が徐々に減少する形態であってもよい。一例として、くさび部３９０は、円錐形状であってもよい。また、くさび部３９０は、骨癒合部材３１０、３２０と同じ材質からなってもよいが、ポリエーテルエーテルケトン（ＰＥＥＫ）材質からなり得る。
【０１３８】
前記長さ調節部は、二つの骨癒合部材３１０、３２０の間の間隔を調節して骨代替インプラント３００の全体の長さを可変するためのものである。これを通じて、本発明の第３実施形態による骨代替インプラント３００が互いに連続的に配列された複数個の脊椎体のうちいずれか一つを代替して、互いに断絶した二つの脊椎体３２、３４を連結する場合、上側と下側に位置するそれぞれの脊椎体３２、３４と上部骨癒合部材３１０および下部骨癒合部材３２０が完全に密着した状態で配置され得ることによって、安定した支持力を確保することができる。
【０１３９】
このような長さ調節部は、二つの骨癒合部材３１０、３２０の間の間隔がユーザの操作時にスライディング方式を通じて可変され得る構造であれば、公知のすべての方式が適用され得る。
【０１４０】
一例として、本発明の第３実施形態に適用される長さ調節部は、ユーザの操作時に公知のベベルギア方式を通じて駆動力が提供されることによって、二つの骨癒合部材３１０、３２０の間の間隔が調節され得る。
【０１４１】
具体的に、前記長さ調節部は、ユーザの操作時に作業ツール３０とのギア結合により回転する可動部材３３０と、可動部材３３０の回転時に可動部材３３０を移動させるための駆動力を提供する被可動部材３４０と、可動部材３３０と被可動部材３４０の相対的な運動により発生する駆動力を上部骨癒合部材３１０側に伝達する動力伝達部材３５０とを含むことができる。
【０１４２】
可動部材３３０は、所定の長さを有する中空型のシリンダー形状に設けられ、作業ツール３０との接触時に、ベベルギア方式でギア結合され得るように上端に円周方向に沿って複数個のギア溝３３１が形成され得る。ここで、可動部材３３０は、ギア溝３３１を介して作業ツール３０に形成された駆動ギアと噛合することによって、被動ギアの役割を行うことができる（図１０参照）。
【０１４３】
これに伴い、可動部材３３０は、ユーザが作業ツール３０を一方向に回転させると、駆動力がギア結合を介して提供されることによって、時計方向または反時計回り方向に回転することができる。
【０１４４】
また、可動部材３３０は、外周面に長さ方向に沿って第１ねじ部３３２が形成され得、被可動部材３４０は、内周面に沿って第１ねじ部３３２と対応する第２ねじ部３４２が形成され得る。これに伴い、可動部材３３０は、ギア結合による回転時に被可動部材３４０との相対運動を通じてねじ移動することができる。
【０１４５】
ここで、被可動部材３４０は、可動部材３３０を収容することができるように所定の長さを有し、内周面に第２ねじ部３４２が形成された中空型のシリンダー形状に設けられ、下部側が下部骨癒合部材３２０と固定され得る。
【０１４６】
これにより、被可動部材３４０が固定された状態で可動部材３３０が回転すると、可動部材３３０は、第１ねじ部３３２が第２ねじ部３４２に沿ってねじ移動することによって、被可動部材３４０の長さ方向に沿って上昇したり下降することができる。
【０１４７】
一方、動力伝達部材３５０は、所定の長さを有し、上端が上部骨癒合部材３１０と固定され得、下端が可動部材３３０の上部側と接するように配置され得る。一例として、可動部材３３０は、ギア溝３３１が形成された上部側に段差部３３３が形成されることによって、動力伝達部材３５０の下縁部が段差部３３３により支持され得る。
【０１４８】
これに伴い、ユーザの操作を通じて可動部材３３０が回転しつつ、被可動部材３４０との相対的な運動を通じてねじ移動すると、可動部材３３０の段差部３３３により支持された動力伝達部材３５０が上部骨癒合部材３１０とともに上方に移動したり下方に移動することができる。これを通じて、二つの骨癒合部材３１０、３２０は、互いに間隔が遠ざかったり狭くなることによって、骨代替インプラント３００の全体の長さが調節され得る（図１２および１３参照）。
【０１４９】
ここで、動力伝達部材３５０の一側には、作業ツール３０の端部が挿入されて支持され得る挿入溝３５２が形成されることによって、ユーザが作業ツール３０の操作時に作業ツール３０の駆動ギア（不図示）と可動部材３３０に形成されたギア溝３３１が噛合する状態で作業ツール３０が挿入溝３５２を中心に円滑に回転することができる。
【０１５０】
一方、本発明の第３実施形態による骨代替インプラント３００は、上・下部が開放された中空型で設けられて、スライディング移動可能に結合される一対のケース３６０、３７０を含むことができ、一対のケース３６０、３７０は、上部骨癒合部材３１０および下部骨癒合部材３２０のうちいずれか一つとそれぞれ固定され得る。
【０１５１】
一例として、一対のケース３６０、３７０のうち第１ケース３６０は、上方が上部骨癒合部材３１０と固定結合され得、第２ケース３７０は、下方が下部骨癒合部材３２０と結合され得、第１ケース３６０が第２ケース３７０の内側に位置するように配置され得る。
【０１５２】
これに伴い、可動部材３３０が被可動部材３４０の長さ方向に沿ってねじ移動する場合、動力伝達部材３５０を介して伝達された駆動力により第１ケース３６０は、上部骨癒合部材３１０とともに同一に移動することによって、第２ケース３７０に対してスライディング移動することができる。
【０１５３】
この際、一対のケース３６０、３７０は、本発明の第３実施形態による骨代替インプラント３００が二つの断絶した脊椎体３２、３４の間に配置された状態でユーザの動きによって脊椎体３２、３４間に歪みが発生する場合、前記歪み荷重を支持することができるように多角断面の形状からなり得、荷重による破損を防止することができるように金属材質からなり得る。一例として、一対のケース３６０、３７０は、上・下部が開放された中空型の四角パイプ形状であってもよく、チタン（Ｔｉ）からなり得る。
【０１５４】
また、一対のケース３６０、３７０は、前記長さ調節部の外側を取り囲むように配置されることによって、骨形成タンパク質を内部に収容することができる。これに伴い、本発明の第３実施形態による骨代替インプラント３００は、ケース３６０、３７０の内部に配置された骨形成タンパク質を通じて脊椎体３２、３４との融合性をさらに促進させることができる。
【０１５５】
一方、一対のケース３６０、３７０は、複数個の通孔３６２、３７２が貫通形成され得、第２ケース３７０に対して第１ケース３６０がスライディング移動した状態で互いに重なった位置に位置する第１通孔３６２および第２通孔３７２が常に連通するように形成され得る。
【０１５６】
一例として、第１通孔３６２および第２通孔３７２は、互いに対応する位置に形成され得、第１通孔３６２は、第１ケース３６０の高さ方向に沿って長孔で形成され得る。これに伴い、第１ケース３６０がスライディング移動して第１通孔３６２および第２通孔３７２の相対的な位置が変わっても、第１ケース３６０および第２ケース３７０が重なった位置に形成された第２通孔３７２は、常に第１通孔３６２と連通した状態を維持することができる。これにより、第１ケース３６０および第２ケース３７０の内部と外部が第１通孔３６２および第２通孔３７２を介して連結された状態を維持して、生体内に存在する体液の移動が円滑に行われ得る。これを通じて、ケース３６０、３７０の内部で体液が停滞する場合に発生し得る細菌繁殖や壊死のような問題を基本的に防止することができる。
【０１５７】
また、一対のケース３６０、３７０は、作業ツール３０の端部が容易に進入して可動部材３３０のギア溝３３１とギア結合され得るように、所定の面積を有する開口部３６３、３７３がそれぞれ貫通形成され得、第２ケース３７０に形成された開口部３７３は、第１ケース３６０のスライディング移動時に第１ケース３６０に形成された開口部３６３の長さ中間が閉塞されるのを防止することができるように、一側が開放された形態であってもよい。
【０１５８】
一方、本発明の第３実施形態による骨代替インプラント３００は、金属材質からなるケース３６０、３７０と生体活性結晶化ガラス素材からなる骨癒合部材３１０、３２０が直接接触するのを防止することができるように、緩衝部材３８０が配置され得る。このような緩衝部材３８０は、ポリエーテルエーテルケトン（ＰＥＥＫ）素材からなり得、上述したように、骨癒合部材３１０、３２０の突出部３１４、３２４側に結合され得る。
【０１５９】
すなわち、緩衝部材３８０は、脆性が大きい骨癒合部材３１０、３２０と金属材質のケース３６０、３７０を互いに離隔させるスペーサーの役割を行うことによって、物理的な安定性を確保することができる。もし、骨癒合部材３１０、３２０とケース３６０、３７０が直接接触する場合、人体または脊椎体３２、３４から加えられる外力により脆性が大きい骨癒合部材３１０、３２０がケース３６０、３７０により破損する恐れがあるためである。
【０１６０】
ここで、突出部３１４、３２４の表面および緩衝部材３８０の内面には、互いに対応する段差構造が形成されることによって、緩衝部材３８０が突出部３１４、３２４から容易に分離されるのを防止することができ、緩衝部材３８０が突出部３１４、３２４の周りを取り囲むように配置された状態でボルト部材のような別途の固定部材を介して固定されることもでき、二つの方式がすべて適用されることもできる。
【０１６１】
一方、本発明の第３実施形態による骨代替インプラント３００は、人体または脊椎体３２、３４で加えられる外力により可動部材３３０が回転するのを防止することができるように、ロックねじ３９２を介して可動部材３３０の回転が拘束され得る。
【０１６２】
すなわち、本発明の第３実施形態による骨代替インプラント３００が互いに断絶した脊椎体３２、３４の間に位置するように配置した後、ユーザの操作を通じてそれぞれの骨癒合部材３１０、３２０が対応する脊椎体３２、３４の表面と完全に密着した状態で前記長さ調節部側にロックねじ３９２を締結することによって可動部材３３０の回転を拘束することができる。
【０１６３】
このために、被可動部材３４０は、側部に少なくとも一つの締結孔３４４が貫通形成され得、第２ケース３７０側には、締結孔３４４と対応する位置に第２通過孔３７４が貫通形成され得る。ここで、第１ケース３６０側には、第２通過孔３７４と対応する位置に長さ方向に沿って長孔の第１通過孔３６４が形成されることによって、第１ケース３６０が第２ケース３７０に対してスライディング移動しても、常に第１通過孔３６４および第２通過孔３７４が連通した状態を維持するようにする。
【０１６４】
これに伴い、ユーザの操作を通じて骨代替インプラント３００の全体の長さ調節が完了した状態で、ユーザは、第１通過孔３６４および第２通過孔３７４を介してロックねじ３９２を締結孔３４４側に結合させることができ、ロックねじ３９２の端部が可動部材３３０の側部を加圧することによって可動部材３３０の回転が拘束され得る。
【０１６５】
ここで、ロックねじ３９２は、長さ中間またはヘッド部３９２ａが第１通過孔３６４に位置することによって、第１ケース３６０により回転が拘束されることによって、結果的に、ロックねじ３９２により可動部材３３０の回転が拘束され得る。
【０１６６】
この際、締結孔３４４は、ロックねじ３９２がねじ結合され得るように、内面にねじ部が形成され得、第２通過孔３７４は、ロックねじ３９２のヘッド部３９２ａが第２ケース３７０の外部に突出しないように、ロックねじ３９２のヘッド部３９２ａと同一であるか、相対的にさらに広い面積を有するように形成され得る。
【０１６７】
以上、本発明の一実施形態について説明したが、本発明の思想は、本明細書に提示される実施形態に制限されず、本発明の思想を理解する当業者は、同じ思想の範囲内で、構成要素の付加、変更、削除、追加などにより他の実施形態を容易に提案することができるが、これもまた、本発明の思想範囲内に入ると言える。 
【図１】
2020513198.tif 000003
【図２】
2020513198.tif 000004
【図３】
2020513198.tif 000005
【図４】
2020513198.tif 000006
【図５】
2020513198.tif 000007
【図６】
2020513198.tif 000008
【図７】
2020513198.tif 000009
【図８】
2020513198.tif 000010
【図９】
2020513198.tif 000011
【図１０】
2020513198.tif 000012
【図１１】
2020513198.tif 000013
【図１２】
2020513198.tif 000014
【図１３】
2020513198.tif 000015
【国際調査報告】
2020513198.tif 000016
2020513198.tif 000017
2020513198.tif 000018
2020513198.tif 000019